(57)【要約】【課題】天空における天体の位置を知り、特別に天文の知識を要することなく前記天体の天空における位置を容易に知ることができるウォッチ、特に腕時計を提供する。【解決手段】標準周波数信号を生成するタイム・ベース（４８）と、標準信号から現在時刻および日付を求める手段（５０）と、天体を選択する手段（２８、３０）と、２つの針を使用するアナログ時刻表示手段（１０、１２）と、選択された天体の天空における位置を求め、その位置を表示手段（１０、１２）を介して示す手段（３２）とを含み、ウォッチ（１）は、天空のマップ（１６）が示される回転ダイヤル（１４）を含み、両針（１０、１２）の形状をその交差または重なる点によって天空のマップ（１６）のどの点でもダイヤル（１４）上に示すことができる形状とすることを特徴とする。【選択図】図１
2005037393.tif 000002
【特許請求の範囲】
【請求項１】
天空の天体の位置を示すことができる、特に腕時計タイプの電子天文ウォッチ（１）であって、
標準周波数信号を生成するタイム・ベース（４８）と、
標準信号から現在時刻と日付を求める手段（５０）と、
天体を選択する手段（２８、３０）と、
２つの針を使用するアナログ時刻表示手段（１０、１２）と、
選択された天体の天空における位置を求め、その位置を表示手段（１０、１２）を介して示す手段（３２）とを含み、
前記ウォッチ（１）は、天空のマップ（１６）が示される回転ダイヤル（１４）を含むとともに、両針（１０、１２）の形状がその交差または重なる点によって天空のマップ（１６）のどの点でもダイヤル（１４）上に示すことができる形状であることを特徴とするウォッチ。
【請求項２】
天空のマップ（１６）を地球から見える星と星座（２０）、特に黄道帯星座の図とすることを特徴とする請求項１に記載のウォッチ。
【請求項３】
太陽系の惑星（３８）の位置を知ることができることを特徴とする請求項１または２のいずれかに記載のウォッチ。
【請求項４】
地平線（４２）を加えたガラス（８）を含み、それによっていつでもどの星座がユーザの所在地から見えるかをユーザに示すことを特徴とする請求項１から３のいずれか１項に記載のウォッチ。
【請求項５】
回転ダイヤル（１４）が１回転を２３時間５６分４．０９秒で終えることを特徴とする請求項１から４のいずれか１項に記載のウォッチ。
【請求項６】
回転制御ステム（２６）を含み、その制御ステムが３つの位置、即ち、ウォッチ（１）の正規動作位置に相当する安定中立位置、同じく安定な引出し位置、および戻りばねが永続的に制御ステム（２６）を中立位置に戻そうとする不安定押込み位置の間で移動可能とされることを特徴とする請求項１から５のいずれか１項に記載のウォッチ。
【請求項７】
回転ベゼル（３０）を含み、そのベゼルが天体の記号を備え、その天体の位置をベゼル（３０）に含む磁石と、ウォッチ（１）の内部に置かれたリード接点とによって知ることができることを特徴とする請求項１から６のいずれか１項に記載のウォッチ。
【請求項８】
フランジに形成された固定目盛（２２）が回転ダイヤル（１４）と回転ベゼル（３０）の間にこえらに同心的に配置されることを特徴とする請求項７に記載のウォッチ。
【請求項９】
天空のマップ（１６）が北緯４５度対応として設定されることを特徴とする請求項１から８のいずれか１項に記載のウォッチ。
【請求項１０】
天体の位置を求め、かつその位置を表示手段（１０、１２）を介して示す手段が制御装置（３２）を含み、ある与えられた日の天体の位置を計算するのに制御装置が必要とする星座と天体の地球に対する相対運動に関するパラメータが格納されるメモリ（４６）が制御装置に連動することを特徴とする請求項１から９のいずれか１項に記載のウォッチ。
【請求項１１】
タイム・ベース（４８）が水晶共振子とその共振子を確実な周波数で振動させる電子保全回路とを含む水晶発振器によって形成される請求項１から１０のいずれか１項に記載のウォッチ。
【請求項１２】
現在時刻と日付を決定する回路（５０）に分周器と分、時、月内の日、月、年のカウンタとを含むことを特徴とする請求項１から１１のいずれか１項に記載のウォッチ。
【発明の詳細な説明】
【技術分野】
【０００１】
本発明は、腕時計等の時計で、天文に関わるタイプのもの、即ち太陽系の天体の地球と黄道帯星座に対する位置を示すことを可能とするウォッチに関する。
【背景技術】
【０００２】
この定義に当てはまるウォッチは、当出願人名義のヨーロッパ特許第０９４９５４９号に開示されている。そのウォッチは、特に、ダイヤル上で運動する時針と分針を含み、ダイヤルはその周辺に時間と分の目盛が、かつその内側に黄道帯の１２宮の記号が設けられている。また、そのウォッチは太陽系の惑星の記号を備えた回転ベゼルも含む。ユーザが太陽系のある惑星の黄道帯星座に対する位置を知りたいときには、ベゼルを回して関心のある天体の記号を１２時に合わせ、次いで制御ステムの竜頭を押す。そのときに、黄道帯の１２の記号とダイヤルの時間と分の目盛が使用されて、分針が問題の天体を示す位置と、黄道帯記号のほぼ内側の位置まで動く。ユーザが望むならば、同じ操作を他の天体の１つまたは幾つかについて繰り返すことができる。
【０００３】
前述の天文ウォッチの主な欠点は、ユーザが関心の天体の天空における位置を簡単かつ迅速に見つけることができる情報を提供できないという事実にある。現に、そのウォッチは、太陽系のある天体の黄道帯星座に対する位置を示すのみである。ユーザが問題の天体を天空に見たい場合には、ユーザはまず始めにユーザ・ウォッチで前記天体のために指定されている黄道帯星座を識別しなければならない。それは、ユーザが様々な黄道帯星座に該当する星のグループを知っていることを想定しており、一般の誰もができることではない。
【特許文献１】ヨーロッパ特許第０９４９５４９号
【特許文献２】ヨーロッパ特許第０７３８９４４号
【特許文献３】ヨーロッパ特許出願第０２０８０６２４．６号
【特許文献４】ヨーロッパ特許第０９５２４２６号
【特許文献５】米国特許第５５７２４８９号
【非特許文献１】「Ａｓｔｒｏｎｏｍｉｃａｌ  Ａｌｇｏｒｉｔｈｍｓ」ｂｙ  Ｊｅａｎ  Ｍｅｅｕｓ，ｐｕｂｌｉｓｈｅｄ  ｂｙ  Ｗｉｌｌｍａｎｎ−Ｂｅｌｌ，Ｉｎｃ．，Ｒｉｃｈｍｏｎｄ，Ｖｉｒｇｉｎｉａ  ２３２３３５，ｉｎ  １９９１
【非特許文献２】「Ｌａｎｄｈｏｌｔ−Ｂｏｅｒｓｔｅｉｎ；Ｎｕｍｅｒｉｃａｌ  Ｄａｔａ  ａｎｄ  Ｆｕｎｃｔｉｏｎａｌ  Ｒｅｌａｔｉｏｎｓｈｉｐｓ  ｉｎ  Ｓｃｉｅｎｃｅ  ａｎｄ  Ｔｅｃｈｎｏｌｏｇｙ」，ｇｒｏｕｐ  ＶＩ，ｖｏｌｕｍｅ  Ｉ，Ｓｐｒｉｎｇ  Ｖｅｒｌａｇ，Ｂｅｒｌｉｎ  １９６５
【発明の開示】
【発明が解決しようとする課題】
【０００４】
本発明は、ユーザがいつでも、ユーザが望むときに、天空における天体の位置を知り、ユーザの方で特別に天文の知識を要することなく天体の天空における位置を容易に知ることができるウォッチ、特に腕時計を提供することにより、前述の問題を他の問題とも併せて克服することをその目的とする。
【課題を解決するための手段】
【０００５】
したがって、本発明は、電子天文ウォッチ、特に腕時計タイプのものであって、このウォッチは天空の天体の位置を示すことができ、前記ウォッチは、
標準周波数信号を生成するタイム・ベースと、
標準信号から現在時刻および日付を求める手段と、
天体を選択する手段と、
選択された天体の天空における位置を求め、その位置を表示手段を介して示す手段とを含み、このウォッチは、天空のマップを表した回転ダイヤルを含み、かつ、両針の形状をその交差またはその重なる点でダイヤル状に示された天空のマップのあらゆる点を示すことができる形状とすることを特徴とするウォッチに関する。
【０００６】
本発明の相補的な特徴によれば、天空のマップは地球から見える星座、特に黄道帯の１２星座の図とされる。
【０００７】
これらの特徴により、本発明は、ユーザがある天体の天の川の星や星座に対する位置を知ることができるのはもちろんのこと、星と星座の天空における位置をも知ることができる天文ウォッチを提供することができる。ユーザはしたがって、何ら特別に天文の知識を要することなく、ユーザが知りたいと望むときに、関心のある天体の位置を知ることが可能である。
【０００８】
本発明の別の特徴によれば、この天文ウォッチによって、太陽系の惑星の位置を知ることができる。
【０００９】
本発明のさらに別の特徴によれば、このウォッチには地平線を示すガラスを含み、それによってユーザにいつでもユーザの所在地から見える天空が示される。
【００１０】
この付加的特徴により、ユーザが関心のある太陽系の天体または他のいずれの天体も一層簡単に知ることができる。
【００１１】
さらに別の特徴によれば、天空のマップを設けたウォッチ・ダイヤルは２３時間５６分４．０９秒で１回転する。
【００１２】
このウォッチ・ダイヤルはしたがって、地球が太陽の周りを１年で回る事実を考慮して、２４時間にわずか足らずで１回転する。太陽を巡る１年間の地球の運動を無視するならば、このダイヤルは２４時間で一周するところであるが、実際には、閏年への０．２４日の寄与を勘定に入れ、１年が３６５．２４日に等しいことを考えるならば、３．９４分少なく調整する必要がある。このウォッチはしたがって、ユーザの要望により、ある決められた日の太陽系の様々な天体の星座に対する位置を求めることができる。同様に、このウォッチは星座の天空における位置を永続的に求めることができる。
【発明を実施するための最良の形態】
【００１３】
本発明の他の特徴および長所は、本発明による天文ウォッチの実施形態に関して添付図面を参照の以下の詳細な説明から一層明らかになろう。なお、その実施形態は例として示すにすぎず、本発明を何ら制限するものではない。
【００１４】
そもそも本発明は、ユーザが、ユーザが望むときに天空の天体の位置を知ることができる天文ウォッチを提供することを発明の概念とする。したがって、本発明による天文ウォッチは、星と星座のマップを示した回転ダイヤルと、一対の時針、分針を必ず含み、時針と分針の形状がそれらの針の交差または重なる点によって回転ダイヤル上の星または星座を示すことができる形状とされる。ユーザは、位置を知りたい天体を選択した後、ウォッチの回転ダイヤルを見て両針の交差ポイントが示す箇所によって関心のある天体がどの星座に位置するかを調べるだけでよい。ユーザの所在地から見える大空の図が回転ダイヤルに設けられているので、ユーザは、特別に天文知識を要することなく、求める天体の位置を容易に知ることができる。
【００１５】
以下に、太陽系の惑星の天空における位置を知ることについて説明する。しかし、本発明はこの例に限定されず、彗星等、いかなる天体の位置、あるいは人工衛星の位置すらも知ることが可能なことはいうまでもない。
【００１６】
図１に、本発明によるウォッチの特定の実施形態を示す。
【００１７】
その全体を総括的符号１により示す図１のウォッチは、アナログ表示式の腕時計であり、従来の態様にて、リストバンド６の２つの端部または２つのストランドが取付けられる中間部４により形成されたケース２、その中間部４の前面に固定されたガラス８、裏蓋（図示せず）を含む。裏蓋は取外し可能であるか、あるいはウォッチ１の供給電源として作用する電池を導入および交換するためのハッチを備えている。
【００１８】
ウォッチ１の表示手段には、時針１０と分針１２を含み、それぞれ２方向ステッピング・モータにより、かつ適切な歯車列を介して駆動される。
【００１９】
これらの２つの針１０、１２は回転ダイヤル１４上で運動し、そのダイヤルは第３のステッピング・モータによって２つの回転方向に適切な歯車列を介して駆動される。この回転ダイヤル１４は、針１０、１２と同軸を中心に回転し、反時計方向に２４時間にわずか足らずで、正確には閏年を考慮した２３時間５６分４．０９秒で１回転する。
【００２０】
本発明の１つの特徴によれば、天空のマップ１６が回転ダイヤル１４に示されている。図１に示すウォッチは北半球での使用を意図したもので、回転ダイヤル１４に示される天空のマップ１６は、北極星１８を前記回転ダイヤル１４の中心に置き、北緯４５度で見える星座群に相当する。もちろん、南半球で使用を意図するものにはその緯度で見える天空が示される。
【００２１】
図１を子細に見て分かるように、星座２０、特に黄道帯星座は回転ダイヤル１４にその名称または絵文字でなく、それらの星座を形成する星団で示されている。したがって、以下に詳細に説明するように、ユーザにとっては、ユーザの所在地から見え、太陽系の天体の位置を知りたいと思うときに役立つ完全な天空のマップが常時利用可能である。
【００２２】
黄道帯の１２星座のラテン語名が回転ダイヤル１４の周辺に表示されている。黄道帯の星座をユーザが一層良く見分けられるように、それらは天空マップ１６の他の星座と色を違えるか、より太い線で示すことができる。
【００２３】
回転ダイヤル１４は、時間と分を目盛り、正午にマーク２４が付された固定目盛２２に対面して運動する。この目盛２２は、回転ダイヤル１４を囲み、フランジに形成されている。
【００２４】
図１に示す本発明格別の実施形態においては、太陽系の天体を選択する手段は竜頭２８を備えた制御ステム２６と回転ベゼル３０を含んでいる。
【００２５】
制御ステム２６は回転するステムであり、３つの位置、即ち、ウォッチの正規動作位置に相当する安定中立位置、同じく安定な引出し位置、および戻りばねが常時制御ステムを中立位置に戻そうとする不安定押込み位置の間を軸方向に運動可能とされている。
【００２６】
制御ステム２６の軸方向と回転運動は、スイッチによって特性電気信号に変換され、ウォッチ１の制御装置３２（図３参照）に送られる。
【００２７】
その回転運動に関しては、その電気信号は、制御ステムがどちら側に回転したか、そしてその回転速度は一定値より小か大か、言い換えれば制御ステムの回転は遅いのか早いのかを制御装置が判断することができるパルス列である、。
【００２８】
回転ベゼル３０は、固定目盛２２が回転ダイヤル１４とそのベゼル３０の間で同心的に配置されるように構成されている。このベゼル３０には、太陽３４、月３６、地球４０を含む太陽系の様々な惑星３８の記号が設けられている。
【００２９】
ベゼル３０の位置は、制御装置３２に接続された既知の、例えばヨーロッパ特許第０７３８９４４号に記載のデバイスによって検知可能とされ、同特許のデバイスはベゼルに含まれた磁石やウォッチ１の内部に置かれたリード接点によって形成される。
【００３０】
さらに、ベゼル３０に設けられた記号は、それらの天体の名称または他にそれを識別可能な表示に代えることもできることは明らかである。
【００３１】
図１をよく見ればすぐに分かるように、時針１０は時計の針として通常の形とは異なるハート形とされ、これに対して分針は従来通りの真直形とされる。
【００３２】
これは、審美的考慮に関連づけもされるが、技術的要求に答えるものである。針１０、１２の形状は、両針が回転ダイヤル上の、実質的にあらゆる点で交差する点を形成することができ、あるいは両針の先が前記点の１つに対面して重なり合うようにされる。したがって、時針１０と分針１２の運動を特定点上で交差または重なり合うように制御することによって、回転ダイヤル上の特定の点にアドレスすることが可能とされる。さらに詳しくは、当出願人名義で提出のヨーロッパ特許出願第０２０８０６２４．６号を参照するとよく分かるであろう、同出願を本明細書に援用する。さらにまた、以下の説明において、本発明によるウォッチ１の針の特定形状を利用して、回転ダイヤル１４上に示された天空の、ユーザが選択した太陽系の天体が位置する点を正確に示すことがよく理解されよう。
【００３３】
また、ガラス８の内面に転写等の適切な手段により楕円を加えることもよく理解できるであろう。この楕円は、地平線４２を表し、ある与えられたときにウォッチのユーザの所在地から見ることができる天空部分を区画する。この地平線は、北アメリカや、ヨーロッパ、アジアで適切な精度でウォッチを使用できるほぼ北緯４５度相当に計算されている。
【００３４】
図１のウォッチは、以下のように機能する。
【００３５】
ムーブメントに位置センサを含まない場合には、針１０、１２と回転ダイヤル１４の位置を手動で初期設定しなければならない。
【００３６】
時針１０と分針１２の位置の初期設定は、先ず回転ベゼル３０によって太陽記号３４を正午に合わせる、即ち固定目盛２２のマーク２４に向かわせることによって行われる。次いで竜頭２８をやや長く、例えば１０秒以上、針１０、１２が動くまで押圧し、次いで竜頭２８を引いて修正位置にする。次に竜頭２８を時計回りに回して時針１０を正午に合わせ、かつ反時計回りに回して分針１２も正午に合わせる。最後に竜頭２８を押して正規の静止位置に戻す。
【００３７】
回転ダイヤル１４、言い換えれば天空マップ１６の位置を初期設定するには、先ずベゼル３０を回して月相記号３６を正午に合わせる。次いで竜頭２８を１０秒以上、天空マップ１６が動くまで押圧し、次いで竜頭２８を一方または別方向に回して天空マップ１６上のマークをマーク２４に向かわせる。最後に竜頭２８を押して正規の静止位置に戻す。
【００３８】
針１０、１２と回転ダイヤル１４の位置の初期設定は、自動的に行うこともできる。そのため、時針車と分針車にそれぞれ周囲歯付きのプレートを含む。時針車と分針車の角方向位置検知装置には、磁気センサまたは容量性センサを含み、その検知メンバ、即ち、フラット・スパイラル・コイルが物質、特にプレートを形成する導電性金属導体の存在の変化を検知するのに使用される。プレートは、それぞれに少なくとも１つの孔を有し、その角方向位置が検知装置によって求められる。さらに詳しくは、ヨーロッパ特許第０９５２４２６号を参照するとよく、同特許を本明細書に援用する。
【００３９】
ムーブメントが密閉されると、上記手短に説明した検知装置が付勢される。時針車と分針車に作られた孔検知メンバ上部に１ステップの正確さで位置付けされ、次いで時針と分針が駆動されて正午位置に合わせられる。
【００４０】
回転ダイヤル１４の位置は、針１０、１２の方法と同様方法で初期設定することができる。その場合、回転ダイヤル１４は成形プラスチック材料製とされ、プリント回路板または「ＰＣＢ」に取付の誘導性センサによって検知される金属プレートを含む。天空マップ１６を設けた回転ダイヤル１４の位置決め精度は金属プレートと誘導性センサの位置決め精度による。
【００４１】
時針と分針１０、１２の位置と天空マップ１６を設けた回転ダイヤル１４の位置が初期設定された後、協定世界時または「ＵＴＣ」およびウォッチ着用者の所在地の時間もウォッチに示すことができ、それによって着用者の所在する時間帯と日付が本ウォッチにより求められる。
【００４２】
先ずＵＴＣ時間が調節される。これを行うには、回転ベゼル３０に現れる「ＵＴＣ」表示４４を正午に合わせる。なお、回転ベゼル３０の角方向位置検知のため、ベゼルには一定数の永久磁石を含み、一方、リード接点タイプの磁気スイッチがウォッチケースに配置されている。永久磁石は、磁気スイッチの開閉２値状態を決定する。リード接点と永久磁石の特定配置が及ぼす影響により、リード接点の他とは異なる特定配置が回転ベゼルの各角方向位置に対応し、それによって回転ベゼル３０が占める角方向位置をはっきりと知ることができる。回転ベゼル３０の角方向位置を検知する装置に関する十分な説明については、米国特許第５５７２４８９号を参照するのが有益であり、同特許を本明細書に援用する。
【００４３】
ベゼルを回し、「ＵＴＣ」表示を正午に合わせた後、竜頭２８を短時間押圧する。分針１２は動かず、時針１０が固定目盛２２の「ＵＴＣ」時刻（１から２４時）を示す。
【００４４】
このＵＴＣ時刻読取りモードから、遅延時間（１０秒程度がよい）の終わる前に竜頭２８を引いて修正位置に付けることによって、ＵＴＣ時刻修正モードに入ることができる。分針１２は動かず、時針１０が固定目盛２２の「ＵＴＣ」時刻（１から２４時）を示す。次いで、竜頭２８を両方向に回すことによってＵＴＣ時刻を修正（時間と分）することができる。ＵＴＣ時刻を修正の後、竜頭２８を押して中立静止位置に戻す。
【００４５】
天空マップ１６を特定方向に向けることができるためには、本発明のウォッチ１の制御装置３２がユーザの所在地から現在の日付を知る必要がある。
【００４６】
現地時間を修正するには、竜頭２８を引いて修正位置に合わせなければならない。分針１２は動かず、時針１０が固定目盛２２の「ＵＴＣ」時刻（１から２４時）を示す。現地時間を修正の後、竜頭２８を押して中立静止位置に戻すと時針１０が正規位置に戻る。
【００４７】
天空マップ１６を適切に特定方向に向けることができるためには、制御装置３２が現在の日付も知る必要がある。日付読取りモードを先ず調べ、次いで修正モードで現在の日付にする。
【００４８】
日付を読み取るには、ベゼル３０を回して地球記号４０を正午に合わせる。竜頭２８を短時間押圧の後、針１０、１２が重ねられ、日を１から３１まで固定目盛２２で示す。
【００４９】
月を読み取るには、日付読取りモードに入る。１０秒が望ましい遅延時間の終わる前に、ベゼル３０を回して月相記号３６を正午に合わせる。針１０、１２が重なり、月を１から１２まで固定目盛２２で示す。
【００５０】
年を読み取るには、日付読取りモードに入る。遅延時間の終わる前に、ベゼル３０を回して太陽記号３４を正午に合わせる。針が重なり、年を１から６０まで固定目盛２２で示す。
【００５１】
日、月または年を修正するには、日、月または年読取りモードに入っていなければならない。遅延時間の終わる前に竜頭２８を引き、竜頭を両方向に回して数値を修正する。修正の後、竜頭２８を押して中立静止位置に戻す。
【００５２】
現地時間および日付が分かると、ウォッチ１の制御装置３２が天空マップ１６を適切に特定方向に向けることができる。そのため、制御装置３２はメモリ４６（図３参照）を備えている。このメモリはウォッチメーカによってプログラムされる不揮発性メモリであり、これに制御装置で必要とされる星と星座、特に黄道帯星座、太陽系の天体の地球に対する相対運動に関するパラメータが格納される。
【００５３】
さらに、上述のパラメータを使用して天体の位置を求めるために制御装置３２が実行しなければならない計算は、当業者によく知られており、制御装置３２を適切にプログラムするために必要な場合に調べることができる著作が多数ある。そのような著作の例として、「Ａｓｔｒｏｎｏｍｉｃａｌ  Ａｌｇｏｒｉｔｈｍｓ」ｂｙ  Ｊｅａｎ  Ｍｅｅｕｓ，ｐｕｂｌｉｓｈｅｄ  ｂｙ  Ｗｉｌｌｍａｎｎ−Ｂｅｌｌ，Ｉｎｃ．，Ｒｉｃｈｍｏｎｄ，Ｖｉｒｇｉｎｉａ  ２３２３３５，ｉｎ  １９９１および「Ｌａｎｄｈｏｌｔ−Ｂｏｅｒｓｔｅｉｎ；Ｎｕｍｅｒｉｃａｌ  Ｄａｔａ  ａｎｄ  Ｆｕｎｃｔｉｏｎａｌ  Ｒｅｌａｔｉｏｎｓｈｉｐｓ  ｉｎ  Ｓｃｉｅｎｃｅ  ａｎｄ  Ｔｅｃｈｎｏｌｏｇｙ」，ｇｒｏｕｐ  ＶＩ，ｖｏｌｕｍｅ  Ｉ，Ｓｐｒｉｎｇ  Ｖｅｒｌａｇ，Ｂｅｒｌｉｎ  １９６５を挙げることができる。
【００５４】
当然、ウォッチは、月相等、他の天文学的情報も提供するように設計されるため、メモリ４６にも制御装置３２に必須のあらゆるデータが格納され、また制御装置もそのようにプログラムされる。
【００５５】
ウォッチ（図３参照）は、タイム・ベース４８、現在時刻と日付を決める回路５０、データ・メモリ４６が連動する制御装置３２、表示制御回路５２、時針と分針１０、１２で形成される表示系５４を含み、さらに制御ステム２６、ベゼル３０、電池等（図示せず）の直流電源を含む手動制御系５６を含む。
【００５６】
時刻および日付決定回路５０に標準周波数信号を供給するタイム・ベース４８は、電子ウォッチで通常使用されるような水晶発振器により形成するのがよく、水晶発振器は水晶共振子とその共振子を確実な周波数で振動させる電子保全回路により形成されている。
【００５７】
現在時刻と日付決定回路５０には、分周器とともに分、時、月内の日、月、年のカウンタを含む。
【００５８】
さらに、回路５０は、一方で、２８、２９、３０、３１日の月を計算に入れる、言い換えればウォッチに万年暦を設けるために、かつ他方では時刻と日付をこの回路が接続された制御装置３２を介して修正可能とするために必要な手段を内蔵する。
【００５９】
最後に、回路５０は、制御回路３２に、かつこれを介して表示制御回路５２に、回路５０の分周器によって生成され、これらの回路がその様々な機能を果たすために必要とする周期信号をすべて供給するように設計されている。
【００６０】
制御装置３２の機能の中で、太陽系の地球以外の様々な天体の現在時刻における地球と星と星座に対する位置をユーザの要望により求める機能がある。
【００６１】
制御ステム２６が中立位置のとき、針１０、１２は現在時刻を表示する。
【００６２】
より具体的には、時針１０と分針１２を駆動するモータは、固定目盛２２の全１回転につき１８０パルスを供給する。ウォッチ１の通常作動中は、分針１２はしたがって２０秒毎に駆動パルスを受け、時針１０は２４０秒毎に駆動パルスを受ける。この同じ経過時間中に、これらの針１０、１２の位置は、それぞれ時と分について２つのカウンタによって表され、その内容が０から１７９まで逐次増進し、これらのカウンタの内容を表す２進信号によってウォッチ１の制御装置３２はいつでも時針と分針１０、１２の位置を同じ針１０、１２が初期設定中に占める位置に対して知ることができる。
【００６３】
回転ダイヤル１４は、歯車減速比が１０００に近い歯車列によって駆動される。それはダイヤルが全１回自転するのに１０００進しなければならないことを意味する。この歯車減速比は、ダイヤル１４の回転衝撃に対する耐性がより良くなるように大きく選択される。同様に、そのような歯車減速比は、比較的に重く、かつ著しい摩擦力を克服しなければならないダイヤル１４を駆動するのに適切とされる。さらに、針１０、１２については、カウンタが回転ダイヤル１４、言い換えれば天空マップ１６の初期設定段階中に占めた位置に対する位置を表す。
【００６４】
前述のように、時針１０は、ウォッチ針の通常の形状と異なるハート形とされる。この特定形状構成によって、時針１０はその回転ダイヤル１４上における角方向位置が如何様であれ分針１２との交差する点を有することができ、それによって前記ダイヤル１４の表面上どの点でも示すことが可能となる。
【００６５】
したがって、ユーザが回転ベゼル３０に示された太陽系の天体の１つ（但し、日付のために使用する地球を除く）を選択し、それを正午に合わせ、次いで竜頭２８を短時間押圧すると、針１０、１２の交差する点が天空マップ１６上のその天体の位置を示す。ユーザは次に、腕を上げ、必ず地理上の北を自分の背後にして（図２参照）ウォッチ１のダイヤル１４を見れば、関心のある太陽系の天体の天空における位置が分かる。その際には、ガラス８に見える地平線４２が助けとなって、ユーザがウォッチを見る瞬間に彼の所在地から見える天空の部分が示される。
【００６６】
選択された天体の位置を知るため、制御装置３２は現在時刻を有し、それによって前記天体が前記日付の星座に対して占める位置を計算することができる。選択された天体の位置は、ダイヤル１４の表面のその天体の極座標軸、即ち角度と半径によって知られる。天空マップ１６の位置カウンタが次いでマップ１６の位置を制御装置３２に示し、両針をダイヤル１４の所望の点にもたらすために与えるべき位置の計算が可能となる。
【００６７】
いうまでもなく、本発明は以上に説明した実施形態に限定されず、当業者は様々な変更および変形を容易に考えることができ、それらは本発明の範囲を免れるものではない。
【図面の簡単な説明】
【００６８】
【図１】本発明による天文ウォッチの平面図である。
【図２】図１のウォッチを使用して天空における太陽系の天体をどのように識別するかを示す図である。
【図３】図１のウォッチの様々な機能を示すブロック図である。
【符号の説明】
【００６９】
１  ウォッチ、１０  時針、１２  分針、１４  回転ダイヤル、１６  天空マップ、２０  星座、２２  固定目盛、２６  制御ステム、２８  竜頭、３０  ベゼル、３２  制御装置、３８  惑星記号、４２  地平線、４６  メモリ、４８  タイム・ベース、５０  現在時刻と日付決定回路
【図１】
2005037393.tif 000003
【図２】
2005037393.tif 000004
【図３】
2005037393.tif 000005